(57)【要約】【課題】止水を乾式化して安定した良品質の止水部を形成でき、簡素な構造でしっかりとした止水状態を形成でき、鋼製スリーブの腐食も防げ、止水と取付けを簡素な構造で実現できる外壁面へのフードの取付け構造を提供する。【解決手段】鋼製スリーブ２の外周部と、外壁面材１ａの貫通孔４ａを囲む周面部との間に、ガスケットからなる乾式の第１止水材５が設けられてそれらの間が止水されている。また、乾式第２止水材６をフードベース７の外フランジ部７ｂと乾式第１止水材５とでスリーブ軸線方向に圧縮させた状態で、フードベース７の筒部７ａの周壁が鋼製スリーブ２の屋外側突出端部２ｂの周壁にビス９で止め付けられることで、外フランジ部７ｂと乾式第１止水材５との間が乾式第２止水材６で止水され、フードベース７が鋼製スリーブ２に取り付けられている。【選択図】      図１
2011001757.tif 000002
【特許請求の範囲】
【請求項１】
外壁貫通孔に鋼製スリーブがその屋外側の端部を外壁面から外方に突出させるように設けられ、
該鋼製スリーブの外周部と、外壁面材の貫通孔を囲む周面部との間に、ガスケットからなる乾式の第１止水材が設けられてそれらの間が止水され、
該乾式第１止水材の背後にはバックアップ部が備えられ、該バックアップ部により、乾式第１止水材は屋内側に押し動かされるのを阻止されるようになされており、
前記鋼製スリーブの屋外側の突出端部には、フードベースに備えられた筒部がしっくりと外装されると共に、該筒部の基端部に設けられた外フランジ部と前記乾式第１止水材との間に、弾力性を有する乾式第２止水材が設けられ、
該乾式第２止水材をフードベースの外フランジ部と前記乾式第１止水材とでスリーブ軸線方向に圧縮させた状態において、前記フードベースの筒部の周壁が鋼製スリーブの屋外側突出端部の周壁にビスで止め付けられることにより、外フランジ部と乾式第１止水材との間が乾式第２止水材で止水されると共に、フードベースが鋼製スリーブに取り付けられ、
該フードベースにフード本体が取り付けられていることを特徴とする外壁面へのフードの取付け構造。
【発明の詳細な説明】
【技術分野】
【０００１】
本発明は、外壁面への換気フードなどのフードの取付け構造に関する。
【背景技術】
【０００２】
外壁面への換気フードなどのフードの取付け構造として、外壁貫通孔に設置した鋼製スリーブと外壁面材の貫通部分を湿式のシーリングで止水すると共に、フードのフードベースと鋼製スリーブとの間の止水を、フードベースの筒部外周に湿式のシーリング材を塗布し、該筒部を鋼製スリーブ内に挿入して筒部と鋼製スリーブとの間を止水し、かつ、フードベースは、外壁面材にビスで止め付け、該ビス打ち部分を通じて壁内に水が侵入しないように、フードベースにフード本体を取り付けた後、フード本体の上部と外壁面との間を湿式のシーリング材で止水するようにしたものがある。
【先行技術文献】
【特許文献】
【０００３】
【特許文献１】特開２０００−１２９９０３号公報
【発明の概要】
【発明が解決しようとする課題】
【０００４】
しかしながら、上記の取付け構造は、止水を湿式シーリングで行うことを前提とした取付け構造となっており、止水部分の品質が施工業者の技量に左右されてしまい、安定した良品質の止水部を形成するのが難しいという問題がある。
【０００５】
また、フードベースをビスで外壁面に取り付ける構造としているため、ビス打ち部分を通じて壁内に水が侵入しないように、フード本体を巻き込んだ上記のような特別な止水構造を採用しなければならないという問題もある。
【０００６】
本発明は、上記のような問題点に鑑み、止水を乾式化して安定した良品質の止水部を形成することができ、しかも、簡素な構造でしっかりとした止水状態を形成することができる外壁面へのフードの取付け構造を提供することを課題とする。
【課題を解決するための手段】
【０００７】
上記の課題は、外壁貫通孔に鋼製スリーブがその屋外側の端部を外壁面から外方に突出させるように設けられ、
該鋼製スリーブの外周部と、外壁面材の貫通孔を囲む周面部との間に、ガスケットからなる乾式の第１止水材が設けられてそれらの間が止水され、
該乾式第１止水材の背後にはバックアップ部が備えられ、該バックアップ部により、乾式第１止水材は屋内側に押し動かされるのを阻止されるようになされており、
前記鋼製スリーブの屋外側の突出端部には、フードベースに備えられた筒部がしっくりと外装されると共に、該筒部の基端部に設けられた外フランジ部と前記乾式第１止水材との間に、弾力性を有する乾式第２止水材が設けられ、
該乾式第２止水材をフードベースの外フランジ部と前記乾式第１止水材とでスリーブ軸線方向に圧縮させた状態において、前記フードベースの筒部の周壁が鋼製スリーブの屋外側突出端部の周壁にビスで止め付けられることにより、外フランジ部と乾式第１止水材との間が乾式第２止水材で止水されると共に、フードベースが鋼製スリーブに取り付けられ、
該フードベースにフード本体が取り付けられていることを特徴とする外壁面へのフードの取付け構造によって解決される。
【０００８】
この構造では、鋼製スリーブの外周部と、外壁面材の貫通孔を囲む周面部との間に、ガスケットからなる乾式の第１止水材が設けられてそれらの間が止水されているので、止水を乾式化して安定した良品質の止水部を形成することができる。
【０００９】
しかも、鋼製スリーブの屋外側の突出端部に、フードベースに備えられた筒部がしっくりと外装され、該筒部の周壁が鋼製スリーブの屋外側突出端部の周壁にビスで止め付けられることで、フードベースが鋼製スリーブに取り付けられる構造となっているので、フードベースを外壁面にビス打ちをして止め付ける構造とする場合には必要となる止水処理をする必要がなく、簡素な構造でしっかりとした止水状態を形成することができる。
【００１０】
加えて、フードベースの筒部の基端部に設けられた外フランジ部と乾式第１止水材との間に、弾力性を有する乾式第２止水材が設けられ、該乾式第２止水材を前記外フランジ部と乾式第１止水材とでスリーブ軸線方向に圧縮させた状態において、フードベースの筒部の周壁が鋼製スリーブの屋外側突出端部の周壁にビスで止め付けられて、フードベースの外フランジ部と乾式第１止水材との間が乾式第２止水材で止水されている構造となっているから、フードベースの外フランジと外壁面との間を通じて侵入した水が鋼製スリーブの外周面と接触してしまうのを防ぐことができて、外壁に組み付けられて交換が容易には行えない鋼製スリーブの腐食を防ぐことができる。
【００１１】
更に、フードベースの筒部を鋼製スリーブに止め付けているビスが、乾式第２止水材を圧縮状態に保持する作用をも行う構成としていることにより、乾式第２止水材による止水と、フードベースの取付けとを、簡素な構造で実現することができる。
【発明の効果】
【００１２】
本発明外壁面へのフードの取付け構造は、以上のとおりのものであるから、止水を乾式化して安定した良品質の止水部を形成することができ、しかも、簡素な構造でしっかりとした止水状態を形成することができる。
【００１３】
加えて、フードベースの外フランジと外壁面との間を通じて侵入した水が鋼製スリーブの外周面と接触してしまうのを防ぐことができて、鋼製スリーブの腐食を防ぐことができ、
更に、乾式第２止水材による止水と、フードベースの取付けとを、簡素な構造で実現することができる。
【図面の簡単な説明】
【００１４】
【図１】第１実施形態のフード取付け構造を示す分解断面側面図である。
【図２】同フードの取付け構造を示す断面側面図である。
【図３】図（イ）〜図（ハ）は、取付け方法を順次に示す拡大断面側面図である。
【図４】図（イ）〜図（ハ）は、第２実施形態のフード取付け構造と取付け方法を示す拡大断面側面図である。
【発明を実施するための形態】
【００１５】
次に、本発明の実施形態を図面に基づいて説明する。
【００１６】
図１〜図３に示す第１実施形態は、外壁面への換気フードの取付け構造についてのもので、１は外壁、２は鋼製スリーブ、３は換気フードであり、外壁１には貫通孔４が明けられ、該貫通孔４に鋼製スリーブ２が設けられている。該鋼製スリーブ２は、その軸線方向の中間部の外周部にバックアップ部としてのつば部２ａが一体的に設けられ、該つば部２ａを外壁面材１ａの背面側に張り出させた状態で外壁１と一体化された構造となっていて、鋼製スリーブ２の交換を容易には行えない構造となっている。
【００１７】
そして、鋼製スリーブ２は、その屋外側の端部２ｂが外壁面から外方に突出するように設けられており、鋼製スリーブ２の外周部と、外壁面材１ａの貫通孔４ａを囲む周面部との間に、ガスケットからなる環状をした乾式の第１止水材５が、上記のつば部２ａをバックアップ部にして嵌め込まれ、それらの間が止水されている。
【００１８】
換気フード３は、フードベース７と、フード本体８とで構成されており、フードベース７は、筒部７ａと、該筒部７ａの基端部に設けられた外フランジ部７ｂとを備えている。
【００１９】
そして、フードベース７の取付けのため、図３（イ）（ロ）に示すように、フードベース７の筒部７ａは、鋼製スリーブ２の屋外側の突出端部２ｂにしっくりと外装され、それにより、フードベース７の外フランジ部７ｂの側に予め取り付けられていたエプトシーラー（商品名）からなる弾力性を有する環状をした乾式第２止水材６が、外フランジ部７ｂと乾式第１止水材５との間に設置され、図３（ロ）（ハ）に示すように、乾式第２止水材６をフードベース７の外フランジ部７ｂと乾式第１止水材５とでスリーブ軸線方向に圧縮させた状態において、フードベース７の筒部７ａの周壁が鋼製スリーブ２の屋外側突出端部２ｂの周壁にビス９で止め付けられ、それにより、外フランジ部７ｂと乾式第１止水材５との間が乾式第２止水材６で止水されると共に、フードベース７が鋼製スリーブ２に取り付けられている。乾式第２止水材６の圧縮状態は、乾式第１止水材５が屋内側に押し動かされるのをつば部２ａが阻止することで保たれる。そして、該フードベース７に、図２に示すように、フード本体８が取り付けられている。なお、フード本体８において、８ａは下向きの開口する通気口であり、該通気口８ａには防虫網８ｂが設けられている。
【００２０】
上記の構造では、鋼製スリーブ２の外周部と、外壁面材１ａの貫通孔４ａを囲む周面部との間に、ガスケットからなる乾式の第１止水材５が設けられてそれらの間が止水されているので、止水を乾式化して安定した良品質の止水部を形成することができる。
【００２１】
しかも、鋼製スリーブ２の屋外側の突出端部２ｂには、フードベース７の筒部７ａがしっくりと外装され、筒部７ａの周壁が鋼製スリーブ２の屋外側突出端部２ｂの周壁にビス９で止め付けられることで、フードベース７が鋼製スリーブ２に取り付けられる構造となっているので、フードベース７を外壁面にビス打ちをして止め付ける構造とする場合には必要となる止水処理をする必要がなく、簡素な構造でしっかりとした止水状態を形成することができる。なお、ビス９は、フードベース７の外フランジ部７ｂよりも屋外側に位置して、フード本体８内に存在することとなるので、ビス止め部分を通じて水が鋼製スリーブ２内に侵入してしまうことはない。
【００２２】
加えて、フードベース７の筒部７ａの基端部に設けられた外フランジ部７ｂと乾式第１止水材５との間に、弾力性を有する乾式第２止水材６が設けられ、乾式第２止水材６を外フランジ部７ｂと乾式第１止水材５とでスリーブ軸線方向に圧縮させた状態において、フードベース７の筒部７ａの周壁が鋼製スリーブ２の屋外側突出端部２ｂの周壁にビス９で止め付けられて、フードベース７の外フランジ部７ｂと乾式第１止水材５との間が乾式第２止水材６で止水されている構造となっているから、フードベース７の外フランジ部７ｂと外壁面との間を通じて侵入した水が鋼製スリーブ２の外周面と接触してしまうのを防ぐことができて、外壁１に組み付けられて交換を容易には行えない鋼製スリーブ２の腐食を防ぐことができる。なお、ビス９は、外フランジ部７ｂよりも屋外側に位置して、フード本体８内に存在することとなることにより、ビス止め部分を通じて水が鋼製スリーブ２の外周部と接触してしまうことはない。
【００２３】
更に、フードベース７の筒部７ａを鋼製スリーブ２に止め付けているビス９が、乾式第２止水材６を圧縮状態に保持する作用をも行う構成としていることにより、乾式第２止水材６による止水と、フードベース７の取付けとを、簡素な構造で実現することができる。
【００２４】
なお、上記の構造では、乾式第１止水材５がそのヒレ部分を屋外側に位置させるように備えられているが、これは、外壁をパネルとして工場にて製作する際、乾式第１止水材５を鋼製スリーブ２の外周部に装着した後に外壁面材１ａを組み付けるためであり、従って、例えば、工場での外壁パネルの製作において、外壁面材を組み付けた後に、乾式第１止水材５を鋼製スリーブ２の外周部に装着する場合や、乾式第１止水材５が経年的に劣化したときの乾式第１止水材５の交換の際には、乾式第１止水材５はそのヒレ部分が屋内側に位置するように装着されて用いられる。
【００２５】
図４に示す第２実施形態の取付け構造は、ガスケットからなる乾式の第１止水材５に、弾力性を有する乾式第２止水材６を一体化させたものであり、該乾式第２止水材６の部分は、乾式第１止水材５の部分と、フードベース７の外フランジ部７ｂとの間で圧縮状態にされて、フードベース７の筒部７ａの周壁が鋼製スリーブ２の屋外側突出端部２ｂの周壁にビス９で止め付けられ、フードベース７の外フランジ部７ｂと外壁面との間を通じて侵入した水が鋼製スリーブ２の外周面と接触してしまうのを圧縮状態の乾式第２止水材６の部分が防いで、第１実施形態の場合と同様に、交換を容易には行えない鋼製スリーブ２の腐食を防ぐことができる。
【００２６】
以上に、本発明の実施形態を示したが、本発明はこれに限られるものではなく、発明思想を逸脱しない範囲で各種の変更が可能である。例えば、上記の実施形態では、フードが、換気フードである場合を示したが、電力の引き込み線を通す外壁貫通部や、エアコンの冷媒配管を通す外壁貫通部など各種外壁貫通部に対する雨水の侵入を阻止する目的で取り付けられる各種のフードであってもよい。
【符号の説明】
【００２７】
１…外壁
１ａ…外壁面材
２…鋼製スリーブ
２ａ…つば部（バックアップ部）
２ｂ…突出端部
３…換気フード（フード）
４…貫通孔
４ａ…貫通孔
５…乾式の第１止水材
６…乾式の第２止水材
７…フードベース
７ａ…筒部
７ｂ…外フランジ部
８…フード本体
９…ビス
【図１】
2011001757.tif 000003
【図２】
2011001757.tif 000004
【図３】
2011001757.tif 000005
【図４】
2011001757.tif 000006